(57)【要約】      （修正有）【課題】外科手術用器具のためのピンロック機構を提供する。【解決手段】ハンドル部分１１０；長手方向軸を規定し、そして該ハンドル部分から遠位に延びる細長部分１２０；該細長部分の遠位部分に隣接して配置されたエンドエフェクタ１３０であって、該エンドエフェクタは、第一の顎部材および第二の顎部材を備え、該第一の顎部材および該第二の顎部材は、間に組織をクランプするための寸法にされており、該第一の顎部材は、該長手方向軸に対して実質的に横向きの列に配置された少なくとも１列のファスナーを有する、エンドエフェクタ；ならびに該第一の顎部材と機械的に協働して配置され、係合セクションを備えるピンであって、該ピンは、該セクションが該第二の顎部材から間隔を空ける第一の位置と、該係合セクションが該第二の顎部材と係合する第二の位置との間で移動可能であり、該ピンは、非円形の断面を有する、ピン、を備える構成とする。【選択図】図１
2010259791.tif 000002
【特許請求の範囲】
【請求項１】
ハンドル部分；
長手方向軸を規定し、そして該ハンドル部分から遠位に延びる細長部分；
該細長部分の遠位部分に隣接して配置されたエンドエフェクタであって、該エンドエフェクタは、第一の顎部材および第二の顎部材を備え、該第一の顎部材および該第二の顎部材は、間に組織をクランプするための寸法にされており、該第一の顎部材は、該長手方向軸に対して実質的に横向きの列に配置された少なくとも１列のファスナーを有する、エンドエフェクタ；ならびに
該第一の顎部材と機械的に協働して配置され、係合セクションを備えるピンであって、該ピンは、第一の位置と第二の位置との間で移動可能であり、該第一の位置において、該セクションは、該第二の顎部材から間隔を空けており、そして該第二の位置において、該係合セクションは、該第二の顎部材と係合し、該ピンは、非円形の断面を有する、ピン、
を備える、外科手術用器具。
【請求項２】
遠位位置と近位位置との間で移動可能なナイフをさらに備え、該ナイフは、前記ピンと並んで終わる上縁部を有し、該ピンが、ナイフスロットの両側に配置されており、該ナイフスロットから前記ナイフが延びる、請求項１に記載の外科手術用器具。
【請求項３】
前記ピンが、前記ナイフを収容するための寸法にされたギャップを有する、請求項２に記載の外科手術用器具。
【請求項４】
２列のファスナーをさらに備え、前記ナイフが、該２列のファスナーの間に配置されている、請求項１または２に記載の外科手術用器具。
【請求項５】
前記ピンが実質的に半円形の断面である、請求項１〜４のいずれか１項に記載の外科手術用器具。
【請求項６】
前記ピンが実質的にＬ字型の断面である、請求項１〜４のいずれか１項に記載の外科手術用器具。
【請求項７】
前記ピンが約２７０°の弧に形成されている、請求項１〜６のいずれか１項に記載の外科手術用器具。
【請求項８】
第二の非円形のピンをさらに備える、請求項１〜７のいずれか１項に記載の外科手術用器具。
【請求項９】
前記ピンが互いから間隔を空けており、そして一方のピンが、ナイフの頂部に隣接しており、そして他方のピンが、該ナイフの底部に隣接して位置している、請求項８に記載の外科手術用器具。
【請求項１０】
実質的に半円形の断面を有する第二のピンをさらに備え、前記ピンの各々が、実質的に平坦な表面を有し、該第二のピンの該実質的に平坦な表面が、他方のピンの該実質的に平坦な表面が面する方向とは逆の方向に面する、請求項１〜７のいずれか１項に記載の外科手術用器具。
【請求項１１】
前記第一の顎部材および前記第二の顎部材が組織をクランプするための位置まで移動すると自動的に前記ピンが遠位方向に移動する、請求項８または９に記載の外科手術用器具。
【請求項１２】
ハンドル部分；
長手方向軸を規定し、該ハンドル部分から遠位に延びる細長部分；
該細長部分の遠位部分に隣接して配置されたエンドエフェクタであって、該エンドエフェクタは、第一の顎部材および第二の顎部材を備え、該第一の顎部材および該第二の顎部材は、間に組織をクランプするための寸法にされており、該第一の顎部材は、該長手方向軸に対して実質的に横向きの列で配置された少なくとも１列のファスナーを有する、エンドエフェクタ；
該第一の顎部材と機械的に協働するように配置され、係合セクションを備えるピンであって、該ピンは、第一の位置と第二の位置との間で移動可能であり、該第一の位置において、該係合セクションは、該第二の顎部材から間隔を空けており、そして該第二の位置において、該係合セクションは、該第二の顎部材と係合する、ピン；ならびに
該第一のピンから間隔を空けた第二のピンであって、該第一のピンおよび該第二のピンの各々が、ナイフと並ぶ表面を有し、該第一のピンの第一の表面が、第一の方向に面し、そして該第二のピンの第二の表面が、第二の逆の方向に面する、第二のピン、
を備える、外科手術用器具。
【請求項１３】
前記第一の表面および前記第二の表面が、実質的に平坦である、請求項１２に記載の外科手術用器具。
【請求項１４】
前記第一のピンが、前記ナイフの頂表面の方に面する第三の表面を有し、そして前記第二のピンが、該ナイフの底表面の方に面する第四の表面を有する、請求項１２または１３に記載の外科手術用器具。
【請求項１５】
前記第一の顎部材および前記第二の顎部材が組織をクランプするための位置まで移動すると自動的に前記ピンが遠位方向に移動する、請求項１２、１３または１４に記載の外科手術用器具。
【発明の詳細な説明】
【技術分野】
【０００１】
本願は、２００９年５月６日に出願された仮出願番号６１／１７５，８１５に対する優先権を主張する。この仮出願の全内容は、本明細書中に参考として援用される。
【０００２】
（技術分野）
本開示は、一般に、外科手術用器具に関し、そしてより特定すると、組織をクランプし、切断し、そして連結するための外科手術用器具に関する。
【背景技術】
【０００３】
特定の外科手術ステープル留め器具は、ステープルの列を、圧縮された生体組織に通して適用するために使用される。これらの外科手術用ステープル留め器具は、例えば、組織または器官を、切離もしくは切除する前、または吻合中に固定するために使用される。いくつかの場合において、これらの外科手術用ステープル留め器具は、胸部および腹部の手順において器官を閉塞させるために利用される。
【０００４】
代表的に、このような外科手術用ステープル留め器具は、アンビルアセンブリ、外科手術用ステープルのアレイを支持するためのカートリッジアセンブリ、このカートリッジアセンブリとこのアンビルアセンブリとを近接させるための近接機構、このカートリッジアセンブリとこのアンビルアセンブリとの間に組織を捕捉し、そして近接中および発射中にこのカートリッジアセンブリとこのアンビルアセンブリとの間の整列を維持するための、整列またはガイドピンアセンブリ、ならびに外科手術用ステープルをこのカートリッジアセンブリから排出するための発射機構を備える。
【０００５】
使用において、この整列ピンアセンブリが前進させられ、そしてこのアンビルアセンブリとこのカートリッジアセンブリとが近接させられる。次に、外科医は、この器具を発射してステープルを組織内に配置する。必要に応じて、外科医は、同じ器具または別のデバイスを使用して、ステープルの列に隣接する組織またはステープルの列の間の組織を切断し得る。この整列ピンは、いくつかの例において、カートリッジの近接と共に自動的に前進させられる。他の例において、この整列ピンは、別の機構によって前進させられる。
【発明の概要】
【課題を解決するための手段】
【０００６】
本発明は、例えば、以下を提供する：
（項目１Ａ）
ハンドル部分；
長手方向軸を規定し、そして該ハンドル部分から遠位に延びる細長部分；
該細長部分の遠位部分に隣接して配置されたエンドエフェクタであって、該エンドエフェクタは、第一の顎部材および第二の顎部材を備え、該第一の顎部材および該第二の顎部材は、間に組織をクランプするための寸法にされており、該第一の顎部材は、該長手方向軸に対して実質的に横向きの列に配置された少なくとも１列のファスナーを有する、エンドエフェクタ；ならびに
該第一の顎部材と機械的に協働して配置され、係合セクションを備えるピンであって、該ピンは、第一の位置と第二の位置との間で移動可能であり、該第一の位置において、該セクションは、該第二の顎部材から間隔を空けており、そして該第二の位置において、該係合セクションは、該第二の顎部材と係合し、該ピンは、非円形の断面を有する、ピン、
を備える、外科手術用器具。
（項目２Ａ）
遠位位置と近位位置との間で移動可能なナイフをさらに備え、該ナイフは、上記ピンと並んで終わる上縁部を有し、該ピンが、ナイフスロットの両側に配置されており、該ナイフスロットから上記ナイフが延びる、上記項目に記載の外科手術用器具。
（項目３Ａ）
上記ピンが、上記ナイフを収容するための寸法にされたギャップを有する、上記項目のうちのいずれかに記載の外科手術用器具。
（項目４Ａ）
２列のファスナーをさらに備え、上記ナイフが、該２列のファスナーの間に配置されている、上記項目のうちのいずれかに記載の外科手術用器具。
（項目５Ａ）
上記ピンが実質的に半円形の断面である、上記項目のうちのいずれかに記載の外科手術用器具。
（項目６Ａ）
上記ピンが実質的にＬ字型の断面である、上記項目のうちのいずれかに記載の外科手術用器具。
（項目７Ａ）
上記ピンが約２７０°の弧に形成されている、上記項目のうちのいずれかに記載の外科手術用器具。
（項目８Ａ）
第二の非円形のピンをさらに備える、上記項目のうちのいずれかに記載の外科手術用器具。
（項目９Ａ）
上記ピンが互いから間隔を空けており、そして一方のピンが、ナイフの頂部に隣接しており、そして他方のピンが、該ナイフの底部に隣接して位置している、上記項目のうちのいずれかに記載の外科手術用器具。
（項目１０Ａ）
実質的に半円形の断面を有する第二のピンをさらに備え、上記ピンの各々が、実質的に平坦な表面を有し、該第二のピンの該実質的に平坦な表面が、他方のピンの該実質的に平坦な表面が面する方向とは逆の方向に面する、上記項目のうちのいずれかに記載の外科手術用器具。
（項目１１Ａ）
上記第一の顎部材および上記第二の顎部材が組織をクランプするための位置まで移動すると自動的に上記ピンが遠位方向に移動する、上記項目のうちのいずれかに記載の外科手術用器具。
（項目１２Ａ）
ハンドル部分；
長手方向軸を規定し、該ハンドル部分から遠位に延びる細長部分；
該細長部分の遠位部分に隣接して配置されたエンドエフェクタであって、該エンドエフェクタは、第一の顎部材および第二の顎部材を備え、該第一の顎部材および該第二の顎部材は、間に組織をクランプするための寸法にされており、該第一の顎部材は、該長手方向軸に対して実質的に横向きの列で配置された少なくとも１列のファスナーを有する、エンドエフェクタ；
該第一の顎部材と機械的に協働するように配置され、係合セクションを備えるピンであって、該ピンは、第一の位置と第二の位置との間で移動可能であり、該第一の位置において、該係合セクションは、該第二の顎部材から間隔を空けており、そして該第二の位置において、該係合セクションは、該第二の顎部材と係合する、ピン；ならびに
該第一のピンから間隔を空けた第二のピンであって、該第一のピンおよび該第二のピンの各々が、ナイフと並ぶ表面を有し、該第一のピンの第一の表面が、第一の方向に面し、そして該第二のピンの第二の表面が、第二の逆の方向に面する、第二のピン、
を備える、外科手術用器具。
（項目１３Ａ）
上記第一の表面および上記第二の表面が、実質的に平坦である、上記項目に記載の外科手術用器具。
（項目１４Ａ）
上記第一のピンが、上記ナイフの頂表面の方に面する第三の表面を有し、そして上記第二のピンが、該ナイフの底表面の方に面する第四の表面を有する、上記項目のうちのいずれかに記載の外科手術用器具。
（項目１５Ａ）
上記第一の顎部材および上記第二の顎部材が組織をクランプするための位置まで移動すると自動的に上記ピンが遠位方向に移動する、上記項目のうちのいずれかに記載の外科手術用器具。
【０００７】
本発明はさらに、以下を提供する：
（項目１Ｂ）
ハンドル部分；
長手方向軸を規定し、そして該ハンドル部分から遠位に延びる細長部分；
該細長部分の遠位部分に隣接して配置されたエンドエフェクタであって、該エンドエフェクタは、第一の顎部材および第二の顎部材を備え、該第一の顎部材および該第二の顎部材は、間に組織をクランプするための寸法にされており、該第一の顎部材は、該長手方向軸に対して実質的に横向きの列に配置された少なくとも１列のファスナーを有する、エンドエフェクタ；ならびに
該第一の顎部材と機械的に協働して配置され、係合セクションを備えるピンであって、該ピンは、第一の位置と第二の位置との間で移動可能であり、該第一の位置において、該セクションは、該第二の顎部材から間隔を空けており、そして該第二の位置において、該係合セクションは、該第二の顎部材と係合し、該ピンは、非円形の断面を有する、ピン、
を備える、外科手術用器具。
（項目２Ｂ）
遠位位置と近位位置との間で移動可能なナイフをさらに備え、該ナイフは、上記ピンと並んで終わる上縁部を有する、上記項目に記載の外科手術用器具。
（項目３Ｂ）
上記ピンが、上記ナイフを収容するための寸法にされたギャップを有する、上記項目のうちのいずれかに記載の外科手術用器具。
（項目４Ｂ）
２列のファスナーをさらに備え、上記ナイフが、該２列のファスナーの間に配置されている、上記項目のうちのいずれかに記載の外科手術用器具。
（項目５Ｂ）
上記ピンが実質的に半円形の断面である、上記項目のうちのいずれかに記載の外科手術用器具。
（項目６Ｂ）
上記ピンが実質的にＬ字型の断面である、上記項目のうちのいずれかに記載の外科手術用器具。
（項目７Ｂ）
上記ピンが約２７０°の弧に形成されている、上記項目のうちのいずれかに記載の外科手術用器具。
（項目８Ｂ）
第二の非円形のピンをさらに備える、上記項目のうちのいずれかに記載の外科手術用器具。
（項目９Ｂ）
上記ピンが互いから間隔を空けており、そして一方のピンが、ナイフの頂部に隣接しており、そして他方のピンが、該ナイフの底部に隣接して位置している、上記項目のうちのいずれかに記載の外科手術用器具。
（項目１０Ｂ）
遠位位置と近位位置との間で移動可能なナイフをさらに備え、該ナイフが、上記ピンと並んで終わる上縁部を有する、上記項目のうちのいずれかに記載の外科手術用器具。
（項目１１Ｂ）
上記ピンが、ナイフスロットの両側に配置されており、該ナイフスロットから上記ナイフが延びる、上記項目のうちのいずれかに記載の外科手術用器具。
（項目１２Ｂ）
実質的に半円形の断面を有する第二のピンをさらに備え、上記ピンの各々が、実質的に平坦な表面を有し、該第二のピンの該実質的に平坦な表面が、他方のピンの該実質的に平坦な表面が面する方向とは逆の方向に面する、上記項目のうちのいずれかに記載の外科手術用器具。
（項目１３Ｂ）
上記第一の顎部材および上記第二の顎部材が組織をクランプするための位置まで移動すると自動的に上記ピンが遠位方向に移動する、上記項目のうちのいずれかに記載の外科手術用器具。
（項目１４Ｂ）
ハンドル部分；
長手方向軸を規定し、該ハンドル部分から遠位に延びる細長部分；
該細長部分の遠位部分に隣接して配置されたエンドエフェクタであって、該エンドエフェクタは、第一の顎部材および第二の顎部材を備え、該第一の顎部材および該第二の顎部材は、間に組織をクランプするための寸法にされており、該第一の顎部材は、該長手方向軸に対して実質的に横向きの列で配置された少なくとも１列のファスナーを有する、エンドエフェクタ；
該第一の顎部材と機械的に協働するように配置され、係合セクションを備えるピンであって、該ピンは、第一の位置と第二の位置との間で移動可能であり、該第一の位置において、該係合セクションは、該第二の顎部材から間隔を空けており、そして該第二の位置において、該係合セクションは、該第二の顎部材と係合する、ピン；ならびに
該第一のピンから間隔を空けた第二のピンであって、該第一のピンおよび該第二のピンの各々が、ナイフと並ぶ表面を有し、該第一のピンの第一の表面が、第一の方向に面し、そして該第二のピンの第二の表面が、第二の逆の方向に面する、第二のピン、
を備える、外科手術用器具。
（項目１５Ｂ）
上記第一の表面および上記第二の表面が、実質的に平坦である、上記項目に記載の外科手術用器具。
（項目１６Ｂ）
上記第一のピンが、上記ナイフの頂表面の方に面する第三の表面を有し、そして上記第二のピンが、該ナイフの底表面の方に面する第四の表面を有する、上記項目のうちのいずれかに記載の外科手術用器具。
（項目１７Ｂ）
上記第一の顎部材および上記第二の顎部材が組織をクランプするための位置まで移動すると自動的に上記ピンが遠位方向に移動する、上記項目のうちのいずれかに記載の外科手術用器具。
【０００８】
（摘要）
ハンドル部分、細長部分、ならびに第一の顎部材および第二の顎部材を備える外科手術用器具。この細長部分は、長手方向軸を規定し、そしてこのハンドル部分から遠位に延びる。この第一の顎部材およびこの第二の顎部材は、間に組織をクランプするための寸法にされる。この第一の顎部材は、この長手方向軸に対して実質的に横向きの列に配置された、少なくとも１列のファスナーを有する。ピンが、この第一の顎部材と機械的に協働するように配置され、そして第一の位置と第二の位置との間で移動可能である。この第一の位置において、係合セクションは、第二の顎部材から間隔を空ける。この第二の位置において、係合セクションは、この第二の顎部材と係合する。このピンは、非円形の断面を有する。
【０００９】
（要旨）
本開示は、ハンドル部分、細長部分、およびエンドエフェクタを備える外科手術用器具を提供する。この細長部分は、長手方向軸を規定し、そしてこのハンドル部分から遠位に延びる。このエンドエフェクタは、この細長部分の遠位部分に隣接して配置され、そして第一の顎部材および第二の顎部材を備える。この第一の顎部材およびこの第二の顎部材は、間に組織をクランプするための寸法にされる。
【００１０】
ピンが、この第一の顎部材と機械的に協働するように配置される。このピンは、係合セクションを備え、そして第一の位置と第二の位置との間で移動可能である。この第一の位置において、この係合セクションは、第二の顎部材から間隔を空ける。この第二の位置において、この係合セクションは、この第二の顎部材と係合する。このピンは、非円形の断面を有する。
【００１１】
好ましくは、クランプされた組織を切断するために遠位に移動するナイフが提供される。好ましくは、このナイフは、このピンと並んで終わる上縁部を有する。１つの実施形態において、このピンは、ナイフを収容するための寸法にされたギャップを有する。この器具は、ファスナーの複数の列を備え得、このナイフが、これらの列の間に配置される。
【００１２】
１つの実施形態において、このピンは、断面が実質的に半円形である。別の実施形態において、このピンは、断面が実質的にＬ字型である。
【００１３】
この器具は、第二の非円形ピンを備え得る。１つの実施形態において、これらのピンは、互いから間隔を空けており、そして一方のピンがナイフの頂部に隣接し、そして他方のピンが、このナイフの底部に隣接して配置される。これらのピンは、ナイフスロット（このナイフスロットからナイフが延びる）の両側に配置され得る。
【００１４】
いくつかの実施形態において、この器具は、実質的に半円形の断面を有する第二のピンをさらに備え得、これらのピンの各々は、実質的に平坦な表面を有し、この第二のピンの実質的に平坦な面は、他方のピンの実質的に平坦な面が面する方向とは逆の方向に面する。
【００１５】
これらのピンは、いくつかの実施形態において、第一の顎部材と第二の顎部材とが組織をクランプする位置まで移動するときに自動的に遠位方向に移動し得る。
【００１６】
別の局面において、ハンドル部分、細長部分およびエンドエフェクタを備える外科手術用器具が提供される。この細長部分は、長手方向軸を規定し、そしてこのハンドル部分から遠位に延びる。このエンドエフェクタは、この細長部分の遠位部分に隣接して配置される。このエンドエフェクタは、第一の顎部材および第二の顎部材を備え、この第一の顎部材およびこの第二の顎部材は、間に組織をクランプするための寸法にされる。この第一の顎部材は、この長手方向軸に対して実質的に横向きの列に配置された、少なくとも１列のファスナーを有する。ピンが、この第一の顎部材と機械的に協働して配置され、そして係合セクションを備える。このピンは、第一の位置と第二の位置との間で移動可能である。この第一の位置において、この係合セクションは、この第二の顎部材から間隔を空け、そしてこの第二の位置において、この係合セクションは、この第二の顎部材と係合する。第二のピンが、第一のピンから間隔を空けており、この第一のピンおよびこの第二のピンの各々は、ナイフと並ぶ表面を有する。この第一のピンの第一の表面は、第一の方向に面し、そしてこの第二のピンの第二の表面は、第二の逆方向に面する。
【００１７】
いくつかの実施形態において、これらのピンの第一の表面および第二の表面は、実質的に平坦である。この第一のピンは、ナイフの頂表面の方に面する第三の表面を有し得、そしてこの第二のピンは、このナイフの底表面の方に面する第四の表面を有し得る。いくつかの実施形態において、これらのピンは、第一の顎部材と第二の顎部材とが組織をクランプする位置まで移動するときに自動的に遠位方向に移動する。
【００１８】
本開示の外科手術用ステープル留め器具の種々の実施形態が、図面を参照しながら本明細書中に開示される。
【図面の簡単な説明】
【００１９】
【図１】図１は、本開示の外科手術用ステープル留め器具の斜視図である。
【図１Ａ】図１Ａは、図１の器具のエンドエフェクタの斜視図である。
【図１Ｂ】図１Ｂは、顎部材が開位置にある、図１の器具のエンドエフェクタの側面断面図である。
【図１Ｃ】図１Ｃは、顎部材が閉位置にある、図１のエンドエフェクタの側面断面図である。
【図２】図２は、半円形の断面を有するピンを有するカートリッジアセンブリの１つの実施形態の拡大斜視図である。
【図３】図３は、図２に示される細部の領域の斜視図である。
【図４】図４は、４列のステープルを有するカートリッジアセンブリの別の実施形態の拡大斜視図である。
【図５】図５は、カートリッジアセンブリの別の実施形態の拡大斜視図である。
【図６】図６は、図５に示される細部の領域の拡大斜視図である。
【図７】図７は、半円形の断面を有する２つのピンを有するカートリッジアセンブリの別の実施形態の拡大斜視図である。
【発明を実施するための形態】
【００２０】
本開示の外科手術用ステープル留め器具の実施形態が、図面を参照しながら詳細に記載される。図面において、同じ参照番号は、数枚の図の各々における対応する要素を表す。以下の説明において、用語「近位」とは、外科手術用ステープル留め器具の使用者に近い方の端部または部分をいい、一方で、用語「遠位」とは、外科手術用ステープル留め器具の使用者から遠い方の端部または部分をいう。
【００２１】
簡潔さのために、本開示は、図面において参照番号１００により指定される外科手術用ステープル留め器具のためのピンに焦点を当てる。米国特許第７，４０７，０７６号（その全内容は、本明細書中に参考として援用される）は、外科手術用ステープル留め器具１００の実施形態の構造および作動を詳細に記載する。
【００２２】
図１は、ファスナーを適用するため、および組織を切断するために設計された、外科手術用ステープル留め器具１００を図示する。手短には、外科手術用ステープル留め器具１００は、ハンドル部分１１０、細長部分１２０、およびこの細長部分１２０の遠位部分から延びるエンドエフェクタ１３０を備える。ハンドル部分１１０は、エンドエフェクタ１３０を起動するためのトリガ１４０を備える。細長部分１２０は、ハンドル部分１１０から遠位に延び、そしてこの細長部分に沿った長手方向軸Ａ−Ａを規定する。エンドエフェクタ１３０は、細長部分１２０の遠位部分に隣接して配置され、そして第一の顎部材またはカートリッジアセンブリ１５０、および第二の顎部材またはアンビルアセンブリ１６０を備える。この実施形態において、カートリッジアセンブリ１５０は、トリガ１４０の起動の際に、アンビルアセンブリ１６０に対して長手軸方向に移動して、顎部材１５０と１６０との間に組織をクランプするように適合される。組織をクランプする目的で、このアンビルアセンブリがこのカートリッジアセンブリの方に移動（近接）させられ得ること、またはこのカートリッジアセンブリとこのアンビルアセンブリとの両方が互いの方に移動させられ得ることもまた、想定される。
【００２３】
カートリッジアセンブリ１５０は、複数のスロット１５２（図１Ｂおよび図１Ｃ）を備え、各々のスロットが、ステープルまたは他の任意の適切なファスナーを保持し得る。各スロット１５２は、プッシャースラストバーまたはプランジャー１２２と作動可能に関連する。プッシャー１２２は、細長部分１２０に沿って、部分的にカートリッジアセンブリ１５０内に延びる。カートリッジアセンブリ１５０はまた、ナイフを備え、このナイフは、カートリッジアセンブリ１５０とアンビルアセンブリ１６０との間にクランプされた組織を切断するために、前進可能である。使用において、プッシャー１２２は、トリガ１４０の起動の際に遠位に移動し、そしてスロット１５２内に配置されたステープルの、遠位方向への、細長部分１２０の長手方向軸に対して実質的に平行な排出を引き起こす。スロット１５２に加えて、カートリッジアセンブリ１５０は、プッシャー１２２に作動可能に接続されたピン１５４、およびピン１５４をスライド可能に受容するための寸法にされたボア１５６を備える。ピン１５４は、プッシャー１２２の並進に応答して、ボア１５６に沿って長手軸方向に移動するように適合される。あるいは、ピン１５４は、ハンドル部分１１０内のスライド式ノブ１５５によって移動させられ得る。図１Ａ〜図１Ｃに図示される実施形態において、アンビルアセンブリ１６０は、ピン１５４の少なくとも一部分を受容するように設計された穴１６２を有する。アンビルアセンブリ１６０は、カートリッジアセンブリ１５０から排出されたファスナーを変形させるための、ステープル変形ポケット１６４を有する。細長スロットが、アンビルアセンブリにおいて、ポケット１６４の間に提供されて、以下に記載されるナイフを収容し得る。
【００２４】
アンビルアセンブリ１６０が操作中にカートリッジアセンブリ１５０に対して静止状態を維持する一方で、カートリッジアセンブリ１５０は、トリガ１４０の起動の際に、近位位置と遠位位置との間で長手軸方向に移動可能である。この近位位置において、カートリッジアセンブリ１５０は、近位位置の図１Ｂに見られるように、アンビルアセンブリ１６０から間隔を空けている。トリガ１４０の起動は、このトリガに作動可能に接続されたクランプスライド１７０を遠位に移動させ、これは次に、ピン１７４に起因して、スラストバー１２２をより遠位に移動させる。次に、スラストバー１２２の遠位への並進は、カートリッジアセンブリ１５０の、アンビルアセンブリ１６０に向かう近接位置への遠位への移動を引き起こす。カートリッジアセンブリ１５０が近位位置から遠位位置の方へと移動する間、エンドエフェクタ１３０は、図１Ｃに示されるように、カートリッジアセンブリ１５０とアンビルアセンブリ１６０との間に配置された任意の組織「Ｔ」をクランプする。この遠位位置において、カートリッジアセンブリ１５０は、アンビルアセンブリ１６０のより近くに位置し、そして組織「Ｔ」をアンビルアセンブリ１６０に対して押し付ける。
【００２５】
一旦、カートリッジアセンブリ１５０がその遠位（近接）位置に達すると、トリガ１４０のさらなる起動（すなわち、トリガ１４０の２回目の握り）は、スロット１５２からのファスナーの排出を引き起こす。すなわち、プッシャー１２２の連続的な遠位への並進は、一旦、カートリッジアセンブリ１５０が遠位位置に位置すると、スロット１５２内に配置されたファスナーの展開を引き起こす。展開中、これらのファスナーはスロット１５２を出、そして組織を通って前進して、これらのファスナーの形成（例えば、ステープルレッグをＢ字型の構成に屈曲させること）のために、アンビルアセンブリ１６０のステープル変形ポケットと接触する。トリガ１４０の起動はまた、このナイフを前進させて、カートリッジアセンブリ１５０とアンビルアセンブリ１６０との間にクランプされた組織を切断する。
【００２６】
クランプスライド１７０の遠位への動きが、整列ピン１５４をボア１５６に沿って遠位に移動させることに留意のこと。これは、米国特許第７，４０７，０７６号に記載されるような、ピンプッシャー１７２の細長スロットを通って延びるピンを介しての、整列ピンプッシャー１７２とクランプスライド１７０との作動可能な接続に起因する。（ピンプッシャー１７２は、ピン１５４の近位端に係合するように構成された当接部材を有する、垂直部分を備える。）ピン１５４の充分な遠位への移動の際に、アンビルアセンブリ１６０の穴１６２は、ピン１５４の一部分を受容する。ピン１５４と穴１６２との間の構造的相互作用（カートリッジアセンブリ１５０が遠位位置に位置しているとき）は、スロット１５２とステープル変形ポケット１６４との整列を補助する。整列ピン１５４は、代替的に、ピンプッシャー１７２が例えばスライド式ノブ１５５によって手動で移動させられる際に、手動で移動させられてもよいことが理解されるべきである。
【００２７】
ここで図２〜図７に図示される本開示の整列ピンの実施形態を参照すると、これらのピンは、上に記載された図１のステープラーと一緒に使用されても、他の適切な外科手術用ステープラーと一緒に使用されてもよい。これらのピンは、カートリッジの近接と共に（すなわち、トリガの起動に応答して）自動的に移動するように、かつ／または近接とは別に使用者により（例えば、器具の種々の位置に位置する独立したスライド式ノブまたは他の手動制御器もしくはノブによって）移動させられるように、構成され得る。従って、本明細書中に開示されるピンは、いずれかの様式（自動または手動）または両方の様式で移動させられ得ることが想定されることが理解されるべきである。
【００２８】
図２および図３は、図１のカートリッジアセンブリ１５０の拡大図を図示する。この実施形態において、カートリッジアセンブリ１５０は、複数のステープルスロット１３２および１つのナイフスロット１３４を備える。各ステープルスロット１３２は、ステープルまたはファスナー１３６を収容する。ナイフスロット１３４は、ナイフ１３８を受容するように適合される。ナイフ１３８は、ステープル列の間の組織を切断するために長手軸方向に移動するように構成される。好ましくは、ナイフ１３８は、ステープルがカートリッジアセンブリ１５０から組織を通して前進させられるときに、遠位に前進させられる。この実施形態において、２列のステープルが提供され、実質的に直線に、器具１００の長手方向軸Ａ−Ａに対して実質的に横向きに延びる。異なる数のステープルおよびステープル列もまた想定される。
【００２９】
カートリッジアセンブリ１５０は、ピン１５４を受容するように構成されたボア１５６をさらに備える。ピン１５４は、近位位置と遠位位置との間で長手軸方向に移動するように適合され、そして実質的に半円形の断面を有して、ピン１５４に隣接するナイフ１３８の通過を可能にする。すなわち、ナイフ１３８は、ピン１５４の実質的に平坦な内側表面領域のそばを（並んで）通過する。ピン１５４の実質的に半円形の形状は、ナイフ１３８がピン１５４の領域まで延びることを可能にする。示されるように、ナイフ１３８は、ピン１５４の底１５４ａを過ぎて延び、そしてピン１５４の中間領域１５４ｂに隣接して終わる。他のナイフの高さもまた想定される。ステープルスロット１３２およびステープル線は、ナイフ１３８の頂縁部１３８ａを越えて延び、そしてナイフ１３８の底縁部１３８ｂを越えて延びる。
【００３０】
図４は、一般的に参照番号２５０により表される、カートリッジアセンブリの代替の実施形態を図示する。このカートリッジアセンブリは、４列のステープルが提供されていることを除いて、図２のカートリッジアセンブリ１５０と実質的に同一である。示されるように、ステープル２３６の実質的に直線の４つの列が、器具の長手方向軸Ａ−Ａに対して実質的に横向きに配置されており、２つのジグザグの列が、ナイフ２３８の両側に配置されている。本明細書中の他の実施形態においてと同様に、ステープル２３６は、この器具の長手方向軸に対して実質的に平行な方向に発射される。ナイフ２３８は、カートリッジアセンブリとアンビルアセンブリとの間にクランプされた組織を切断するために、ナイフスロット２３４から移動可能である。ピン２５４は、ピン１５４と同様に、実質的に半円形の形状である。ステープル２３６は、ナイフ２３８の上縁部２３８ａおよび下縁部２３８ｂを越えて延びる。
【００３１】
図５の代替の実施形態において、一般的に参照番号３５０により表されるカートリッジアセンブリは、ピン３５４の構成を除いて、図２のカートリッジアセンブリ１５０と実質的に同一である。示されるように、ステープル３３６の実質的に直線の２つの列が、器具の長手方向軸に対して実質的に横向きに配置されており、ナイフ３３８の両側に１つずつの列が配置されている。異なる数の列もまた想定される。ナイフ３３８は、カートリッジアセンブリとアンビルアセンブリとの間にクランプされた組織を切断するために、ナイフスロット３３４から移動可能である。ステープル３３６は、ナイフ３３８の上縁部３３８ａおよび下縁部３３８ｂを越えて延びる。ピン３５４は、構成が実質的にＬ字型であり、ナイフを収容するためのギャップ３５７を作製する。すなわち、部分３５４ａは、ナイフ３３８に並んで下向きに延び、そして部分３５４ｂは、ナイフ３３８の上縁部３３８ａより上に横向きに延びる。その結果、ピン３５４は、約２７０°の弧に広がる（しかし、他の弧もまた想定される）。
【００３２】
１つの整列ピンが示されるが、２つの整列ピンが提供され得ることもまた想定される（例えば、１つがカートリッジの上部分にあり、そして他のものがカートリッジの下部分にある）ことが理解されるべきである。これは、例として図７の実施形態に示されており、この例において、上側ピン４５４および下側ピン４５５が、カートリッジ４５０に提供されている。ピン４５４、４５５の各々は、図２のピン１５４と同様に、構成が実質的に半円形であるが、図５の実質的にＬ字型のピンもまた提供され得る（頂端部または底端部のうちの一方に提供されて反対の端部の実質的に半円形のピンと一緒に利用されるか、あるいは頂端部と底端部との両方に提供されるかのいずれか）。ピン４５４、４５５は、好ましくは、ナイフ４３８の両側にあることに留意のこと。他の実施形態においてと同様に、ステープル線は、ナイフ４３８の上縁部４３８ａおよび下縁部４３８ｂを越えて延びる。
【００３３】
上記説明は、多くの詳細を含むが、これらの詳細は、本開示の範囲に対する限定であると解釈されるべきではなく、単に、本開示の種々の実施形態の例示であると解釈されるべきである。従って、上記説明は、限定であると解釈されるべきではなく、単に、種々の実施形態の例示であると解釈されるべきである。当業者は、添付の特許請求の範囲の趣旨および範囲内で、他の改変を予測する。
【符号の説明】
【００３４】
１００  外科手術用ステープル留め器具
１１０  ハンドル部分
１２０  細長部分
１２２  プランジャー
１３０  エンドエフェクタ
１４０  トリガ
１５０  カートリッジアセンブリ
１５２  スロット
１５４  ピン
１５６  ボア
１６０  アンビルアセンブリ
【図１】
2010259791.tif 000003
【図１Ａ】
2010259791.tif 000004
【図１Ｂ】
2010259791.tif 000005
【図１Ｃ】
2010259791.tif 000006
【図２】
2010259791.tif 000007
【図３】
2010259791.tif 000008
【図４】
2010259791.tif 000009
【図５】
2010259791.tif 000010
【図６】
2010259791.tif 000011
【図７】
2010259791.tif 000012